(57)【特許請求の範囲】
【請求項１】
少なくとも前面と一側面とが開放され、内部に商品貯蔵部を有する外ケースと内ケースとの間に、冷却器と送風機とを収容してなる冷気循環経路を形成し、該冷気循環経路の上部の吹出口から商品貯蔵部の下部の外周縁の吸込口に向かって吹き出される冷気により、前記開放面にエアカーテンを形成し、商品貯蔵部内の商品を保冷するようにした冷蔵オープンショーケースにおいて、
前記前面と一側面とが交わる商品貯蔵部の下部外周縁のコーナ部に、内側縁の両端が前面及び一側面側の吸込口部の内側端と鈍角をなして連なる広幅部を形成し、この広幅部に複数の吸込口を穿設するとともに、コーナ部の上部に、商品貯蔵部の前記広幅部に向けて冷気を吹き出す隅切り形状としたコーナ部吐出口を設けたことを特徴とする冷蔵オープンショーケース。
【請求項２】
内ケースにおける前面と一側面とが交わるコーナ部を、上下方向を向く隅切り状の斜向面とし、この斜向面に、コーナ部に冷気を吹き出す複数の吹出孔を設けた請求項１に記載の冷蔵オープンショーケース。
【請求項３】
内ケースの底部における前面と一側面とが交わるコーナ部に、斜前上方に突出するとともに、前部の斜向面にコーナ部を向く複数の冷気の吹出孔を有する傾斜ダクトを設けた請求項１または２に記載の冷蔵オープンショーケース。
【発明の詳細な説明】
【０００１】
【発明の属する技術分野】
本発明は、スーパーマーケット等に設置される、少なくとも前面と一側面との２面が開放された冷蔵オープンショーケースに係わり、特に、コーナ部の冷却効果を向上させることができるようにした冷蔵オープンショーケースに関する。
【０００２】
【従来の技術】
この種の冷蔵オープンショーケースには、前面が開放された直線型のユニットの両端に、前面と一側面が開放されたコーナ型のユニットを連結したものや、このうように連結したものを背中合わせに結合したものなどがあり、前者のものは壁面に沿って、また後者のものはフロアの中央に、それぞれ設置される。
【０００３】
上記各ユニットは、天井部の冷気の吹出口から陳列台の下部外周縁の吸込口に向かって冷気を吹き出すことにより、開放面にエアカーテンを形成し、庫内に貯蔵した商品を保冷するようになっている。
【０００４】
【発明が解決しようとする課題】
上述のように、前面と一側面が開放されたコーナ型のユニットを備えるオープンショーケースにおいては、その前面と側面とが交わるコーナ部の冷気の吹出口、及び陳列台下部の冷気の吸込口は、鈍角をなす突合せ構造となっているのが一般的である。
【０００５】
そのため、コーナ部に吹き出される冷気の量が不足して、その部分に十分なエアカーテンが形成されず、コーナ部に貯蔵した商品の冷却効果が低下するという問題がある。
【０００６】
本発明は、上記問題点を解決するためになされたもので、コーナ部の冷気の吹き出し量及び吸込み量を増大させることにより、その部分に十分なエアカーテンを形成し、商品の冷却効果を高めることができるようにした冷蔵オープンショーケースを提供することを目的としている。
【０００７】
【課題を解決するための手段】
上記の目的を達成するために、本発明の冷蔵オープンショーケースは、少なくとも前面と一側面とが開放され、内部に商品貯蔵部を有する外ケースと内ケースとの間に、冷却器と送風機とを収容してなる冷気循環経路を形成し、該冷気循環経路の上部の吹出口から商品貯蔵部の下部の外周縁の吸込口に向かって吹き出される冷気により、前記開放面にエアカーテンを形成し、商品貯蔵部内の商品を保冷するようにした冷蔵オープンショーケースにおいて、前記前面と一側面とが交わる商品貯蔵部の下部外周縁のコーナ部に、内側縁の両端が前面及び一側面側の吸込口部の内側端と鈍角をなして連なる広幅部を形成し、この広幅部に複数の吸込口を穿設するとともに、コーナ部の上部に、商品貯蔵部の前記広幅部に向けて冷気を吹き出す隅切り形状としたコーナ部吐出口を設けたことを特徴としている。
上記構成の発明によると、前面及び一側面側の吸込口部の内側端と鈍角をなして連なる広幅部を形成して吸い込み量の確保を図るとともに、隅切り形状としたコーナ部吐出口からの冷気の吹き出し量も増大させることで、コーナ部の開放面に十分なエアカーテンが形成され、その部分に貯蔵した商品の冷却効果が高められる。
【０００８】
上記冷蔵オープンショーケースにおいて、内ケースにおける前面と一側面とが交わるコーナ部を、上下方向を向く隅切り状の斜向面とし、この斜向面に、コーナ部に冷気を吹き出す複数の吹出孔を設けることが好ましい。
このようにすると、上下方向を向く斜向面の吹出孔からも冷気がコーナ部に吹き出されるので、コーナ部の商品の冷却効果はより高められる。
【０００９】
上記冷蔵オープンショーケースにおいて、内ケースの底部における前面と一側面とが交わるコーナ部に、斜前上方に突出するとともに、前部の斜向面にコーナ部を向く複数の冷気の吹出孔を有する傾斜ダクトを設けることが好ましい。
このようにすると、内ケースの底部のコーナ部の傾斜ダクトより、冷気が斜上向きに吹き出されるので、コーナ部の商品の冷却効果はさらに高められる。
【００１０】
【発明の実施の形態】
以下、本発明の一実施形態を図面に基づいて説明する。図１は本発明の適用された冷蔵オープンショーケースを示す全体斜視図、図２は冷蔵オープンショーケースを示す断面図、図３は冷蔵オープンショーケースのコーナ部を示す一部断面を含む斜視図、図４の（ａ）は冷気吹出口のコーナ部を示す平面図、（ｂ）はその側面断面図、図５は内ケースにおける前面と一側面とが交わるコーナ部の隅切り状斜向面に吹出口を有するダクト部材と、内ケース底部における前面と一側面とが交わるコーナ部の斜向面にコーナ部を向く吹出孔を有する傾斜ダクトとの関係を示す平面図、図６は図５をコーナ部から視た正面図であり、図７は商品貯蔵部の下部外周縁のコーナ部に複数の吸込口が穿設された広幅部を示す平面図である。
【００１１】
先ず図１及び図２には、本発明の適用された冷蔵オープンショーケース１が示されている。図１、図２における３は内ケース、８は断熱筐体としての外ケース、４は側板であり、これら内ケース３、外ケース８、側板４により前方に開放する保冷庫としての商品陳列用空間部６が構成されており、内ケース３に固着された複数の陳列棚７により商品を多段に陳列出来るようになっている。
【００１２】
内ケース３と、その外側に配設される外ケース８との間には、冷気循環経路としての冷気を挿通する挿通路９ｂ、９ｃが前面側と側面側にそれぞれ設けられており、これら前面及び側面側挿通路９ｂ、９ｃ内に設けられる送風機であるファン１０を駆動させ、商品陳列用空間部６の前方下部に設けられる取込口１１から空気を取り込むとともに、取り込んだ空気を冷却器Ｒにより冷却し、図中矢印方向に対流させることで、商品陳列用空間部６内を、冷凍食品や生鮮食料品等を陳列可能な所定温度まで冷却出来るようになっている。
【００１３】
また、商品陳列用空間部６の前方上部に設けられた吹出口である吐出口１２からは下方の取込口１１に向けて冷気が吐出され、商品陳列用空間部６の前面にエアーカーテンが作り出されるため、商品陳列用空間部６内の冷気の拡散や外部からの熱進入が防止され、商品陳列用空間部６内の温度が一定に保持されるようになっている。
【００１４】
更に、図３に示されるように、冷却器Ｒよりも下流側の前面側挿通路９ｂ内には、ファン１０より圧送された冷気の一部をコーナ部挿通路９ａに向かって流動させる多数の通風孔を穿設したパンチングプレート２が、コーナ部挿通路９ａ側を開放するようにして設けられており、コーナ部近傍の前面側挿通路９ｂ内におけるパンチングプレート２より上方を、上下方向を向く仕切板５により仕切ることにより、コーナ部の上下方向を向くコーナ部挿通路９ａとパンチングプレート２下方の前面側挿通路９ｂとが連通するよう構成されている。
【００１５】
本発明の冷蔵オープンショーケースにおける実施形態では、図３、図４に示されるように、前面と一側面とが交わるコーナ部上部の吹出口であるコーナ部吐出口１２ａを平面視において前面及び側面と鈍角をなす隅切り形状とするとともに、商品貯蔵部の下部外周縁のコーナ部に、内側縁の両端が前面及び一側面側の取込口１１の内側端と鈍角をなして連なる広幅部となる吸込口としてのコーナ部取込口１１ａが形成され、このコーナ部取込口１１ａには複数の図示しない区画された吸込口が穿設されている。
【００１６】
また、内ケース３における前面と一側面とが交わるコーナ部には、上下方向を向く隅切り状の斜向面１４ａが形成さた筒状のダクト部材１４が設けられ、このダクト部材１４は、内側に前面及び側面側挿通路９ｂ、９ｃないしコーナ部挿通路９ａに連通する多数の図示しない挿通孔を有し、斜向面１４ａにはコーナ部に冷気を吹き出す複数の吹出孔１５が穿設されている。
【００１７】
更に、内ケース３の底部における前面と一側面とが交わるコーナ部には、斜前上方に突出するとともに、前部の斜向面にコーナ部を向く複数の冷気の吹出孔１７ａを有する傾斜ダクと１７が設けられている。
【００１８】
次に、前述した冷蔵オープンショーケースの作用につき説明する。
【００１９】
先ず、前面及び側面側挿通路９ｂ、９ｃ内に設けられるファン１０を駆動させることにより、商品陳列用空間部６の前方下部に設けられる取込口１１から空気を取り込むとともに、取り込んだ空気を冷却器Ｒにより冷却し、図２中矢印方向に対流させることで、商品陳列用空間部６内が、冷凍食品や生鮮食料品等を陳列可能な所定温度まで冷却される。
【００２０】
また、前面及び側面側挿通路９ｂ、９ｃ内を挿通した冷気は、商品陳列用空間部６の前方上部の吐出口１２から下方の取込口１１に向けて冷気が吐出され、商品陳列用空間部６の前面にエアーカーテンが形成され、これにより、商品陳列用空間部６内の冷気の拡散や外部からの熱進入が防止され、商品陳列用空間部６内の温度を一定に保持することができる。
【００２１】
ここで、前面側挿通路９ｂに向けてファン１０より圧送された冷気の一部は、上方に配置されているパンチングプレート２の通風孔を介して上方に流動するが、その他の冷気はパンチングプレート２により風路が偏向されてコーナ部近傍の該パンチングプレート２の開放端に導かれる。
【００２２】
前記開放端に導かれた冷気は、図３、図４に示されるように上下方向を向く仕切板５により仕切られたコーナ部の上下方向を向くコーナ部挿通路９ａを上方に流動し、コーナ部上部の隅切り形状としたコーナ部吐出口１２ａから商品貯蔵部の下部外周縁の広幅部となるコーナ部取込口１１ａ（図７参照）に向けて吐出される。
【００２３】
ここで、コーナ部取込口１１ａは、図７に示されるように広幅部を有する広い面積で形成されているので、コーナ部吐出口１２ａに対し対向する離れた対角位置に配置されていても、コーナ部吐出口１２ａから吹き出された冷気は、コーナ部に設けられたファンにより十分に吸引されてコーナ部取込口１１ａへの冷気の吸込み量が増大するため、コーナ部の開放面に十分なエアカーテンが形成され、その部分に貯蔵した商品の冷却効果を高めることができる。
【００２４】
さらに、図３及び図５、図６に示されるように、コーナ部挿通路９ａを上方に流動する冷気が、内ケース３における前面と一側面とが交わるコーナ部に設けられた筒状ダクト部材１４に流入し、上下方向を向く隅切り状の斜向面１４ａの吹出孔１５からコーナ部取込口１１ａ（図７参照）に向けて吐出される。
【００２５】
従って、上下方向を向く斜向面１４ａの吹出孔１５からも冷気がコーナ部に吹き出されるので、コーナ部の商品の冷却効果はより高まる。
【００２６】
加えて、各ファン１０により送り出されて各挿通路９ａ、９ｂ、９ｃを流動する冷気の一部は、内ケース３の底部における前面と一側面とが交わるコーナ部に設けられた傾斜ダクと１７にも導かれ、前部の斜向面に設けられたコーナ部を向く複数の冷気の吹出孔１７ａからコーナ部取込口１１ａに向けて吐出される。
【００２７】
このようにすることにより、内ケース３底部のコーナ部の傾斜ダクと１７より、冷気が斜上向きに吹き出されるので、コーナ部の商品の冷却効果をさらに高めることができる。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、本実施例におけるコーナ部取込口１１ａは、広幅部を有する広い面積で形成されているが、面積の広さに限らす対応位置に配設されているファン１０の出力を増大させてコーナ部取込口１１ａから吹き出される冷気を積極的に吸引するようにしても良い。
【００３０】
【発明の効果】
（ａ）請求項１の発明によれば、前面及び一側面側の吸込口部の内側端と鈍角をなして連なる広幅部を形成して吸い込み量の確保を図るとともに、隅切り形状としたコーナ部吐出口からの冷気の吹き出し量も増大させることで、コーナ部の開放面に十分なエアカーテンが形成され、その部分に貯蔵した商品の冷却効果が高められる。
【００３１】
（ｂ）請求項２の発明によれば、上下方向を向く斜向面の吹出孔からも冷気がコーナ部に吹き出されるので、コーナ部の商品の冷却効果はより高められる。
【００３２】
（ｃ）請求項３の発明によれば、内ケース底部のコーナ部の傾斜ダクトより、冷気が斜上向きに吹き出されるので、コーナ部の商品の冷却効果はさらに高められる。
【図面の簡単な説明】
【図１】本発明の適用された冷蔵オープンショーケースを示す全体斜視図である。
【図２】冷蔵オープンショーケースを示す断面図である。
【図３】冷蔵オープンショーケースのコーナ部を示す一部断面を含む斜視図である。
【図４】（ａ）は冷気吹出口のコーナ部を示す平面図、（ｂ）はその側面断面図である。
【図５】内ケースにおける前面と一側面とが交わるコーナ部の吹出口を有するダクト部材と、内ケース底部における前面と一側面とが交わるコーナ部の斜向面にコーナ部を向く吹出孔を有する傾斜ダクトとの関係を示す平面図である。
【図６】図５をコーナ部から視た正面図である。
【図７】商品貯蔵部の下部外周縁のコーナ部に複数の吸込口が穿設された広幅部を示す平面図である。
【符号の説明】
１            冷蔵オープンショーケース
２            パンチングプレート
３            内ケース
４            側板
５            仕切板
６            商品陳列用空間部
７            陳列棚
８            外ケース
９ａ          コーナ部挿通路(冷気循環経路)
９ｂ          前面側挿通路(冷気循環経路)
９ｂ          側面側挿通路(冷気循環経路)
１０          ファン（送風機）
１１          取込口
１１ａ        コーナ部取込口（吸込口）
１２          吐出口
１２ａ        コーナ部吐出口（吹出口）
１４          ダクト部材
１４ａ        斜向面
１５          吹出孔
１７          傾斜ダクト
１７ａ        吹出孔
Ｒ            冷却器
【図１】
0004447722.tif 000002
【図２】
0004447722.tif 000003
【図３】
0004447722.tif 000004
【図４】
0004447722.tif 000005
【図５】
0004447722.tif 000006
【図６】
0004447722.tif 000007
【図７】
0004447722.tif 000008